【手続補正書】
【提出日】平成15年7月30日(2003.7.30)
【手続補正１】
【補正対象書類名】明細書
【補正対象項目名】特許請求の範囲
【補正方法】変更
【補正の内容】
【特許請求の範囲】
【請求項１】
複数の山と谷を形成するようにエンボス加工された表面を少なくとも一方の側に有するポリマーフィルムと、前記山と谷の上から重ねて前記表面上に蒸着された導電性金属被覆とを含み、隣接する金属部品の間に配置される電磁妨害（ＥＭＩ）特性を有するガスケットであって、ガスケットで与えられるＥＭＩ遮蔽作用が各山の頂部からの金属被覆のエロージョンによって影響されないガスケット。
【請求項２】
前記金属被覆が、前記フィルム表面上の接着層としての第１金属層と、導電層として前記第１金属層上に被覆された第２金属層と、摩耗・耐食性層として前記第２金属層上に被覆された第３金属層とを含む請求項１に記載されたガスケット。
【請求項３】
前記金属層が、蒸着によって順番に前記フィルムに被着されている請求項２に記載されたガスケット。
【請求項４】
前記導電層が、銀、銅、金およびプラチナから成る群から選択される請求項３に記載されたガスケット。
【請求項５】
前記第１金属層が、ニクロム（登録商標）、インコネル（登録商標）、クロムおよびチタンから成る群から選択される請求項３に記載されたガスケット。
【請求項６】
前記第３金属層が、ニッケル、錫、ニクロム（登録商標）およびインコネル（登録商標）から成る群から選択される請求項３に記載されたガスケット。
【請求項７】
前記金属被覆が、内外層の間に介挿された導電性金属から成る層を含む少なくとも３層を包含する請求項１に記載されたガスケット。
【請求項８】
前記内外層のうちの少なくとも１つが非金属から成る請求項７に記載されたガスケット。
【請求項９】
前記フィルムが、導電性ポリマーフィルムまたは非導電性ポリマーフィルムである請求項１に記載されたガスケット。
【請求項１０】
前記複数の山が、分布密度約２５．５８山／ｃｍ２（１平方インチ当たり約１６５の山）で、前記ポリマーフィルムの表面全体に分布している請求項１に記載されたガスケット。
【請求項１１】
前記山が平坦な頂部を有する４側ピラミッド形状である請求項１０に記載されたガスケット。
【請求項１２】
前記フィルムが４ミルの線状低密度フィルムであり、前記山がフィルム厚さの約１／４の高さを有する請求項１０に記載されたガスケット。
【請求項１３】
弾発性コアーと、前記エンボス加工面を前記コアーに対して外側方向に向けて前記コアーを取り囲む前記ポリマーフィルムとを含む請求項１に記載されたガスケット。
【請求項１４】
前記金属被覆が前記谷を満たすとともに、前記山の頂部上に延在する請求項１に記載されたガスケット。
【請求項１５】
前記フィルムが厚さ約０．５ミル〜約１００ミルを有する請求項１に記載されたガスケット。
【請求項１６】
前記フィルムが、複数の山と谷を形成するようにエンボス加工された表面と、前記山と谷を覆って前記表面に重ねられた金属被覆とを両側にそれぞれ有し、前記両側は、隣接する金属表面の間に配置されるようになっている請求項１に記載されたガスケット。
【請求項１７】
隣接する金属部品の間に配置される電磁妨害特性を有するガスケットであって、
ａ）弾発性コアーと、
ｂ）前記弾発性コアーを取り囲む導電性シースとを有し、
ｃ）前記導電性シースは、前記弾発性コアーに接する裏面と、コアーから外側向きの外表面とを有する非導電性ポリマーフィルムで形成され、前記外表面はフィルム平面から隆起した複数の山を形成するようにエンボス加工されており、さらに、
ｄ）前記山と平面の上に存在し、ガスケットで与えられるＥＭＩの遮蔽が各山の頂部からの金属被覆のエロージョンによって影響されないようにする導電性金属被覆とを有するガスケット。
【請求項１８】
前記ポリマーフィルムが非導電性フィルムである請求項１７に記載されたガスケット。
【請求項１９】
前記山の側面が傾斜している請求項１７に記載されたガスケット。
【請求項２０】
前記フィルムの表面上の接着層としての第１金属と、導電層として前記第１層上に被覆された第２金属と、摩耗・耐食性層として前記第２層上に被覆された第３金属とを前記金属被覆が含む請求項１７に記載されたガスケット。
【請求項２１】
前記金属被覆が、前記谷を満たすとともに、前記山の頂部を覆って延在している請求項１７に記載されたガスケット。
【請求項２２】
内側層と外側層の間に配置された導電性金属から成る層を含む少なくとも３層を前記金属被覆が含む請求項１７に記載されたガスケット。
【請求項２３】
前記内側層と外側層のうちの少なくとも一方が非金属である請求項１７に記載されたガスケット。
【請求項２４】
隣接する導電性金属表面の間に配置される電磁妨害特性を有する導電性・耐摩耗性ガスケットの形成方法であって、
ａ）裏側と外表面側を有するポリマーフィルムを準備する段階、
ｂ）前記外表面側の平面から隆起する複数の山を形成するように、少なくとも前記外表面側をエンボス加工する段階、
ｃ）前記外表面側上に導電性金属被覆を蒸着して、前記山と、前記外表面側の平面とを覆い、もって、前記隣接する導電性金属表面の間のガスケットとして配置するための導電性フィルムを形成し、前記山の頂部からの前記金属被覆のエロージョンによって前記ガスケットが影響を受けないようにする段階とを含む導電性・耐摩耗性ガスケットの形成方法。
【請求項２５】
ａ）弾発性コアーを用意する段階、
ｂ）前記導電性フィルムの前記外表面側を外側にして、前記弾発性コアーを包囲する段階とを含む請求項２４に記載された導電性・耐摩耗性ガスケットの形成方法。
【請求項２６】
ａ）前記導電性フィルムの前記外表面側上の接着層としての第１金属層と、
ｂ）前記第１金属層の上の導電層である第２金属層と、
ｃ）前記第２金属層の上の摩耗・耐食性層である第３金属層とを、この順序で、前記導電性フィルムの前記外表面側に蒸着する段階を含む請求項２４に記載された導電性・耐摩耗性ガスケットの形成方法。
【請求項２７】
内側層と外側層の間に配置された導電性金属層を含む少なくとも３つの層をフィルムの外表面側に順番に蒸着することを含む請求項２４に記載されたガスケット。
【請求項２８】
内側層および外側層の少なくとも一方の蒸着が被金属である請求項２７に記載されたガスケット。
【請求項２９】
隣接する導電性部品の間に配置される電磁妨害（ＥＭＩ）特性を有するガスケットであって、
少なくとも一方の側にエンボス加工による複数の表面輪郭を備え、この外表面輪郭が側面部分および頂部を有しているポリマーフィルムと、
前記側面部分および前記頂部を覆う蒸着された導電性金属被覆とを含み、
前記被覆の厚さは、その被覆が頂部から摩耗で失われても前記側面部分の頂面が露出して、隣接した導電性表面に接触する十分な大きさであり、ガスケットで与えられるＥＭＩの遮蔽作用が頂部からの金属被覆のエロージョンによって実質的に影響を受けないガスケット。
【請求項３０】
エンボス加工された前記表面輪郭の前記側面部分と前記頂部が、外頂部の摩耗によって露出される前記被覆の前記側面部分の面積を増大させる角度になされている請求項２９に記載されたガスケット。
【請求項３１】
前記頂部と前記側面部分のなす角度が実質的に９０゜を超える角度である請求項３０に記載されたガスケット。
【請求項３２】
前記ポリマーフィルムに誘電性を与えるために、その裏面と外表面の両者を覆う導電性金属被覆を含む請求項１７に記載されたガスケット。
【手続補正２】
【補正対象書類名】明細書
【補正対象項目名】００２３
【補正方法】変更
【補正の内容】
【００２３】
耐摩耗性、耐食性および平流電気共存性も、とりわけ、アクリル、ポリウレタン、ポリエステルまたはポリカーボネートのような有機材料から成る薄い外側被覆によって与えられる。それらの材料が非導電性であっても、薄い層は実質的に下側金属層の導電性を低下させることなく所望の保護を行う。さらに、付加される金属層の間に、とりわけ薄い誘電層のような前記有機材料のいずれかを付加してコンデンサ連結を形成することによって、フィルムの遮蔽効率を向上させることができる。例えば、銀層、誘電層および第２銀層が順次に蒸着段階によりフィルムに付与される。ポリマーフィルムの両側に金属化処理を施すことは、誘電特性を与える。したがって、被覆２８は、誘電特性を与えるために、または、フィルムに対する接着性を含むその他の望ましい特性を与えるために、１以上の非金属層を含み得ることを認識すべきである。隣接する層が互いに接合されるように材料が選ばれるならば、いかなる層数であっても蒸着形成できる。